(57)【要約】【課題】  ユーザ自身が走ったり、歩いたりする際に、予め定めたルートから外れたことを、音楽再生方法を制御することにより快適に通知することができる再生装置および再生方法を提供することを目的とする。【解決手段】  再生装置１００における判断部１０２は、ＧＰＳ測位部１０１により測位された測位結果および移動経路記憶部１０６に記憶された移動経路に基づいて、ユーザが移動経路を外れたか否かを判断する。制御部１０３は、判断部１０２によりユーザの位置が移動経路から外れたと判断されると、再生部１０４による楽曲データの再生方法を変えるよう制御する。これにより、楽曲データの再生方法を変えるといった簡単な制御により、ユーザに移動経路を外れたことを知らせることができる。【選択図】  図１
2011220685.tif 000002
【特許請求の範囲】
【請求項１】
楽曲データを再生する再生手段と、
ユーザの位置を測位する測位手段と、
予め定められた移動経路を記憶する記憶手段と、
前記測位手段により測位された測位結果および記憶手段に記憶された移動経路に基づいて、ユーザが前記記憶手段に記憶されている移動経路を外れたか否かを判断する判断手段と、
前記判断手段によりユーザの位置が移動経路から外れたと判断されると、前記再生手段による楽曲データの再生方法を変えるよう制御する制御手段と、
を備える再生装置。
【請求項２】
前記制御手段は、前記判断手段によりユーザの位置が移動経路から外れたと判断されると、前記再生手段による楽曲データの再生スピードを変えるよう制御する請求項１に記載の再生装置。
【請求項３】
前記制御手段は、移動経路と現在位置との距離に応じて再生スピードを変えることを特徴とする請求項２に記載の再生装置。
【請求項４】
前記制御手段は、前記判断手段により移動経路にユーザは戻ってきたと判断すると、楽曲データの再生方法を元に戻すよう制御することを特徴とする請求項１から３のいずれか一項に記載の再生装置。
【請求項５】
前記制御手段は、所定区間巻き戻しを行い、当該所定区間繰り返し再生を行うよう再生手段を制御することを特徴とする請求項１に記載の再生装置。
【請求項６】
前記判断手段により移動経路を外れたと判断されたときの楽曲データの再生位置を記憶する再生位置記憶手段をさらに備え、
前記制御手段は、前記再生位置から所定区間巻き戻しを行い、当該所定区間繰り返し再生を行うよう前記再生手段を制御することを特徴とする請求項１に記載の再生装置。
【請求項７】
前記制御手段は、前記記憶手段に記憶された移動経路にユーザが戻ると、所定区間の繰り返し再生を中止し、再生処理を行うことを特徴とする請求項６に記載の再生装置。
【請求項８】
楽曲データを再生する再生手段と、ユーザの位置を測位する測位手段と、予め定められた移動経路を記憶する記憶手段と、を備える再生装置の経路通知方法において、
前記測位手段により測位された測位結果および記憶手段に記憶された移動経路に基づいて、ユーザが前記記憶手段に記憶されている移動経路を外れたか否かを判断する判断ステップと、
前記判断手段によりユーザの位置が移動経路から外れたと判断されると、前記再生手段による楽曲データの再生方法を変えるよう制御する制御ステップと、
を備える経路通知方法。
【発明の詳細な説明】
【技術分野】
【０００１】
本発明は、楽曲データを再生する、ユーザにより携帯可能な再生装置および経路通知方法に関する。
【背景技術】
【０００２】
携帯型の音楽プレイヤーを利用して、歩きながら、または走りながら音楽を聴くことが一般的に行われている。例えば、ユーザは、音楽プレイヤーで音楽を聴きながら、ジョギングコースを走ることにより、快適にジョギングをすることができる。このときジョギングコースを外れた場合に、その旨をユーザに知らせたい場合がある。その通知方法として、再生している音楽とは別に、その旨の音声ガイダンスを出力することが考えられる。例えば、特許文献１（特開２００４−３６１２９９号公報）に記載されている通りのものが知られている。この特許文献１には、音楽の視聴を妨げることなく、確実に音声ガイドを提供することができるように、オーディオ信号の切れ目を検出して、音声によるガイドを提供することが記載されている。
【先行技術文献】
【特許文献】
【０００３】
【特許文献１】特開２００４−３６１２９９号公報
【発明の概要】
【発明が解決しようとする課題】
【０００４】
しかしながら、ユーザが携帯することができるような携帯型の再生装置では、その機能が貧弱なものであり、音声ガイダンスを出力する際には、音楽再生処理は一旦停止しなければならない。また、音楽から音声ガイダンスに切り換える際には、少なくとも数百ｍｓｅｃ以上の切り替え時間を要するため、ユーザにとっては快適に利用することができないことが予想される。
【０００５】
そこで、本発明は、ユーザ自身が走ったり、歩いたりする際に、予め定めたルートから外れたことを、音楽再生方法を制御することにより快適に通知することができる再生装置および経路通知方法を提供することを目的とする。
【課題を解決するための手段】
【０００６】
上述の課題を解決するために、本発明の再生装置は、楽曲データを再生する再生手段と、ユーザの位置を測位する測位手段と、予め定められた移動経路を記憶する記憶手段と、前記測位手段により測位された測位結果および記憶手段に記憶された移動経路に基づいて、ユーザが前記記憶手段に記憶されている移動経路を外れたか否かを判断する判断手段と、前記判断手段によりユーザの位置が移動経路から外れたと判断されると、前記再生手段による楽曲データの再生方法を変えるよう制御する制御手段と、を備えている。
【０００７】
この発明によれば、移動経路を外れたと判断されると、楽曲データの再生方法を変えることができ、ユーザに移動経路を外れたことを知らせることができる。よって、その通知のために再生処理を中断することなく、簡単な制御により移動経路を外れたことをユーザに知らせることができる。
【０００８】
また、本発明の再生装置において、前記制御手段は、前記判断手段によりユーザの位置が移動経路から外れたと判断されると、前記再生手段による楽曲データの再生スピードを変えるよう制御することが好ましい。
【０００９】
この発明によれば、楽曲データの再生方法を変えることとして、楽曲データの再生スピードを変えるようにすることで、簡単な制御によりユーザに移動経路を外れたことを知らせることができる。
【００１０】
また、本発明の再生装置において、前記制御手段は、移動経路と現在位置との距離に応じて再生スピードを変えることが好ましい。
【００１１】
この発明によれば、移動経路と現在位置との距離に応じて再生スピードを変えるようにすることで、ユーザにどれくらい移動経路から外れたかを知らせることができる。
【００１２】
また、本発明の再生装置において、前記制御手段は、前記判断手段により移動経路にユーザは戻ってきたと判断すると、楽曲データの再生方法を元に戻すよう制御することが好ましい。
【００１３】
この発明によれば、正規の移動経路に戻ってきたことを判断すると、楽曲データの再生方法を元に戻すよう制御することで、正規の移動経路に戻ったことをユーザに知らせることができる。
【００１４】
また、本発明の再生装置において、前記制御手段は、所定区間巻き戻しを行い、当該所定区間繰り返し再生を行うよう再生手段を制御することが好ましい。
【００１５】
この発明によれば、ユーザに再生している楽曲に対して違和感を与え、移動経路を外れたことを知らせることができる。
【００１６】
また、本発明の再生装置は、前記判断手段により移動経路を外れたと判断されたときの楽曲データの再生位置を記憶する記憶手段をさらに備え、前記制御手段は、前記再生位置から所定区間巻き戻しを行い、当該所定区間繰り返し再生を行うよう再生手段を制御することが好ましい。
【００１７】
この発明によれば、移動経路を外れたと判断されたときの楽曲データの再生位置を記憶しておき、そして、再生位置から所定区間巻き戻しを行い、当該所定区間繰り返し再生を行うようにすることで、所定区間繰り返し再生を行うことができる。よって、ユーザに移動経路を外れたことを知らせることができる。
【００１８】
また、本発明の再生装置において、前記制御手段は、前記記憶手段に記憶された移動経路にユーザが戻ると、所定区間の繰り返し再生を中止し、再生処理を行うことが好ましい。
【００１９】
この発明によれば、正規の移動経路にユーザが戻ると、所定区間の繰り返し再生を中止し、再生処理を行うことができる。すなわち、戻ってくると通常の再生処理を行うことができ、ユーザに正しい移動経路に戻ったことを知らせることができる。
【発明の効果】
【００２０】
本発明によれば、移動経路を外れたと判断されると、楽曲データの再生方法を変えることで、ユーザに移動経路を外れたことを知らせることができる。よって、その通知のために再生処理を中断することなく、簡単な制御により移動経路を外れたことをユーザに知らせることができる。
【図面の簡単な説明】
【００２１】
【図１】本実施形態の再生装置１００の機能を示すブロック図である。
【図２】再生装置１００のハードウェア構成図である。
【図３】巻き戻し逆再生処理の具体例を示す説明図である。
【図４】巻き戻し処理の具体例を示す説明図である。
【図５】移動経路情報の設定処理を示すフローチャートである。
【図６】ユーザに経路を外れたことを通知する処理を示すフローチャートである。
【図７】変形例における再生装置１００ａの機能を示すブロック図である。
【図８】所定区間繰り返し再生するときの処理を示す説明図である。
【発明を実施するための形態】
【００２２】
添付図面を参照しながら本発明の実施形態を説明する。可能な場合には、同一の部分には同一の符号を付して、重複する説明を省略する。
【００２３】
図１は、本実施形態の再生装置１００の機能を示すブロック図である。図１に示されるとおり、再生装置１００は、ＧＰＳ測位部１０１（測位手段）、判断部１０２（判断手段）、制御部１０３（制御手段）、再生部１０４（再生手段）、設定部１０５、移動経路記憶部１０６（記憶手段）、楽曲データ記憶部１０７を含んで構成されている。この再生装置１００は、携帯型の音楽再生機や、音楽再生機能付き携帯電話である。
【００２４】
図２は、再生装置１００のハードウェア構成図である。図１に示される再生装置１００は、物理的には、図２に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図１において説明した各機能は、図２に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２５】
ＧＰＳ測位部１０１は、ＧＰＳ（Global Positioning System）機能により再生装置１００の位置を測位する部分である。
【００２６】
判断部１０２は、ＧＰＳ測位部１０１により測位された位置が、移動経路記憶部１０６に記憶されている予定経路から外れたか否かを判断する部分である。
【００２７】
制御部１０３は、判断部１０２において、現在位置が予定経路から外れたと判断されると、楽曲データ記憶部１０７から任意の一つを再生している楽曲に対して再生方法を制御する部分である。例えば、制御部１０３は、現に再生している楽曲に対して、巻き戻し逆再生をしたり、単なる巻き戻し処理をしたり、再生スピードを遅くしたり、または早くする。
【００２８】
例えば、判断部１０２において、ユーザの現在位置が移動経路から外れたと判断されると、巻き戻し逆再生を行い、所定時間ごとに正規の移動経路に戻ったかを判断し、正規の移動経路に戻るまで、またはユーザ操作があるまで、巻き戻し逆再生を行う。ここで、正規の移動経路に戻ったと判断すると、巻き戻し逆再生を停止し、通常の再生処理を行う。
【００２９】
この巻き戻し逆再生についてさらに具体的に説明する。図３は、巻き戻し逆再生処理の具体例を示す説明図である。図３（ａ）は、開始位置Ｓから楽曲データが再生されていることを示す図である。再生位置Ｐが現に再生している位置を示している。そして、経路はずれ位置Ｐ１を再生しているとき、移動経路から外れたと判断されると、そこから巻き戻し逆再生が行われる。このような逆再生されると、楽曲として成り立たず、異音として聞こえるため、ユーザは経路から外れたと判断することができる。そして、経路戻り位置Ｐ０の位置において、予め定めた経路に戻ったと判断されると、その位置から順方向の再生処理が行われる。このようにして、予め定めた通常の経路に戻ったことをユーザは簡単に知ることができる。
【００３０】
また、他の方法として、所定区間（例えば、５秒）巻き戻しを行い、この所定区間より短い区間（例えば、２秒）再生すると、さらに所定区間（例えば、５秒）巻き戻しを行い、これら巻き戻しと再生とを正規の移動経路（移動経路記憶部１０６に記憶されている移動経路）に戻るまで繰り返す。なお、楽曲の最初に戻ってしまった場合には、楽曲の開始位置から所定区間リピート再生するようにしてもよいし、さらに前の楽曲に戻ってもよい。
【００３１】
この巻き戻しと再生処理についてさらに具体的に説明する。図４は、巻き戻し処理の具体例を示す説明図であり、再生処理している楽曲データの再生位置と巻き戻し位置を概念的に示したものである。図４（ａ）において、開始位置Ｓから楽曲データが再生されており、判断部１０２において移動経路からはずれたと判断されると、そのときの楽曲の再生位置を、経路はずれ位置Ｐ１としている。そして、移動経路から外れたと判断されると、再生位置は巻き戻し位置Ｐ２に戻される。そして、その巻き戻し位置Ｐ２から再生が行われる。そして、再生処理がされ、再生位置Ｐが図４（ｂ）に示されるとおり、数秒先に行くと、さらに、所定区間巻き戻し処理がされる。具体的には、図４（ｃ）の通りとなる。以上の処理を繰り返し行うことにより、ユーザに違和感を与え、予定した移動経路から外れたことを知らせることができる。
【００３２】
なお、正規の経路にもどったときには、上述の経路はずれ位置Ｐ１に戻って引き続き再生処理をしてもよいし、巻き戻し処理をせず、現に再生している再生位置Ｐを引き続き再生処理するようにしてもよい。
【００３３】
なお、制御部１０３は、上述の再生処理の前提として、ユーザからの操作に従って、楽曲データ記憶部１０７から指定された楽曲データを読み出し、再生部１０４に出力することにより、楽曲の再生処理を行うものである。そして、制御部１０３は、ユーザからの指示または判断部１０２よる判断に基づいて楽曲の再生、停止、早送り、巻き戻し、一時停止などを行うことができる。
【００３４】
再生部１０４は、制御部１０３から出力された楽曲の再生処理を行う。この再生部１０４は、例えば、ＣＤプレイヤー、ＤＶＤプレイヤー、カセットプレイヤー、または半導体メモリに記憶されている楽曲データを再生するプレイヤーである。
【００３５】
設定部１０５は、ユーザが移動経路を指定して移動経路記憶部１０６に対して記憶させる部分である。例えば、設定部１０５は、開始位置と目的位置とを指定することにより、ナビゲーション機能により移動経路を導出することができる。
【００３６】
移動経路記憶部１０６は、設定部１０５において設定された移動経路（正規の移動経路）を記憶する部分である。
【００３７】
楽曲データ記憶部１０７は、楽曲データを記憶する部分である。なお、この楽曲データ記憶部１０７として、フラッシュメモリなどの半導体メモリを本実施形態では想定しているが、ＣＤ、またはＤＶＤ、若しくはカセットテープとしてもよい。
【００３８】
このように再生装置１００は構成されることで、楽曲データの再生方法、例えば再生処理から巻き戻し処理するなどすることで、ユーザに違和感を与え、移動経路から外れたことを通知することができる。
【００３９】
なお、別の再生方法として、移動経路から外れた距離を測定して、その距離に応じて再生スピードを変えることもできる。例えば、ＧＰＳ測位部１０１は、定期的に位置測位を行い、制御部１０３は、その位置と移動経路記憶部１０６に記憶されている移動経路との距離を計算する。そして、その距離に応じて、再生スピードを変えるようにしてもよい。例えば、その距離が長ければ長いほど、再生スピードを早くするように制御する。これにより、ユーザにどれぐらい正規の移動経路から外れたかを知らせることができる。
【００４０】
このように構成された再生装置１００に対する移動経路を設定する方法について説明する。図５は、設定部１０５における移動経路を示す移動経路情報の設定処理を示すフローチャートである。図５に示されるとおり、ユーザ操作により移動経路情報の設定が設定部１０５によりなされる（Ｓ１０１）。上述したとおり、ナビゲーションシステムを利用することにより、スタート地点と目的地とを設定することにより移動経路情報が生成される。そして、ここで設定された移動経路情報は移動経路記憶部１０６に記憶される（Ｓ１０２）。
【００４１】
つぎに、このように設定された移動経路を利用して、移動経路から外れた場合に、その旨を通知する処理について説明する。図６は、設定された移動経路から外れた場合に、楽曲データの再生方法を制御することでユーザにその旨を通知する処理を示すフローチャートである。
【００４２】
ＧＰＳ測位部１０１により、ＧＰＳ測位情報が取得される（Ｓ２０１）。つぎに、判断部１０２により、移動経路情報が移動経路記憶部１０６から取得される（Ｓ２０２）。判断部１０２において、ＧＰＳ測位位置が移動経路情報で示される移動経路上にあるものか否かが判断される（Ｓ２０３）。ここで、移動経路情報にないと判断されると（Ｓ２０３：ＮＯ）、制御部１０３において楽曲データの巻き戻し逆再生処理が行われる（Ｓ２０４）。なお、ここでは巻き戻し逆再生処理をしているが、これに限るものではなく、例えば、所定区間ごとに巻き戻し処理を行ってもよいし、再生スピードを変えたり、また再生を停止するなど、再生方法を変えることによりユーザに通知する方法であればよい。
【００４３】
つぎに、この再生装置１００ａの変形例について説明する。図７は、変形例における再生装置１００ａの機能を示すブロック図である。この変形例の再生装置１００ａは、正規の移動経路にユーザが戻ったことを判断して、その楽曲データの再生制御を通常制御に戻すものである。この再生装置１００ａは、ＧＰＳ測位部１０１、判断部１０２、制御部１０３ａ、再生部１０４、設定部１０５、移動経路記憶部１０６、楽曲データ記憶部１０７、および再生位置記憶部１０８（再生位置記憶手段）を含んで構成されている。再生装置１００とは、再生位置記憶部１０８を備えている点で異なっており、また制御部１０３ａの制御方法が制御部１０３とは異なっている。
【００４４】
制御部１０３ａは、判断部１０２において移動経路から外れたと判断されると、そのときの再生位置を再生位置記憶部１０８に記憶させる制御を行う。そして、ユーザが移動経路に戻るまで、所定区間（例えば、５秒程度）巻き戻しを行い、記憶した再生位置まで繰り返し再生処理を行うよう再生部１０４を制御する。
【００４５】
再生位置記憶部１０８は、判断部１０２において正規の移動経路から外れたと判断されると、制御部１０３ａによる制御に従って、そのときの楽曲の再生位置である経路はずれ位置を記憶する部分である。
【００４６】
この制御方法について、図８を用いて説明する。図８は、所定区間繰り返し再生するときの処理を示す説明図である。
【００４７】
ユーザが正規の移動経路から外れると判断部１０２において判断されると、経路はずれ位置Ｐ５が再生位置記憶部１０８に記憶される。そして、所定区間であるリピート位置Ｐ６まで巻き戻しがなされ、その位置から再生が行われる。図８（ａ）では、リピート位置Ｐ６に巻き戻しされて、リピート再生がされている状態を示している。そして、図８（ｂ）に示されるとおり、再生位置Ｐが、経路はずれ位置Ｐ５に達すると、再度、リピート位置Ｐ６まで巻き戻しがされる。なお、正規の経路に戻ったと判断されると、再生位置Ｐは、リピート位置Ｐ６に戻ることなく、そのまま再生処理がなされることになる。このようにして、所定区間繰り返しリピート再生を行うことにより、経路から外れたことをユーザに知らせることができるとともに、正規の経路に戻ったときには、リピート再生されることが無く、正規の経路に戻ったことをユーザに知らせることができる。
【００４８】
つぎに、本実施形態の再生装置１００および再生装置１００ａの作用効果について説明する。本実施形態の再生装置１００は、楽曲データを再生する再生部１０４、ユーザの位置を測位するＧＰＳ測位部１０１、予め定められた移動経路を記憶する移動経路記憶部１０６を備えている。そして、判断部１０２は、ＧＰＳ測位部１０１により測位された測位結果および移動経路記憶部１０６に記憶された移動経路に基づいて、ユーザが移動経路を外れたか否かを判断する。制御部１０３は、判断部１０２によりユーザの位置が移動経路から外れたと判断されると、再生部１０４による楽曲データの再生方法を変えるよう制御する。これにより、楽曲データの再生方法を変えるといった簡単な制御により、ユーザに移動経路を外れたことを知らせることができる。
【００４９】
また、本実施形態の再生装置１００によれば、制御部１０３は、楽曲データの再生方法を変えることとして、楽曲データの再生スピードを変えるように、再生部１０４を制御することが好ましい。このような簡単な制御によりユーザに移動経路を外れたことを知らせることができる。
【００５０】
また、本実施形態の再生装置１００によれば、制御部１０３は、移動経路と現在位置との距離に応じて再生スピードを変えるようにしてもよい。これにより、移動経路と現在位置との距離に応じて再生スピードを変えるようにすることで、ユーザにどれくらい移動経路から外れたかを知らせることができる。
【００５１】
また、本実施形態の再生装置１００によれば、制御部１０３は、再生位置から所定区間巻き戻しを行い、当該所定区間繰り返し再生を行うよう再生部１０４を制御する。これにより、ユーザに違和感を与え、ユーザに正規の移動経路から外れたことを知らせることができる。
【００５２】
また、本実施形態の変形例による再生装置１００ａによれば、移動経路を外れたと判断されたときの楽曲データの再生位置を記憶する再生位置記憶部１０８をさらに備え、制御部１０３ａは、再生位置から所定区間巻き戻しを行い、当該所定区間繰り返し再生を行うよう再生部１０４を制御する。これにより、移動経路を外れたと判断されたときの楽曲データの再生位置を記憶しておき、そして、再生位置から所定区間巻き戻しを行い、当該所定区間繰り返し再生を行うようにすることで、所定区間繰り返し再生を行うことができる。よって、ユーザに移動経路を外れたことを知らせることができる。
【００５３】
また、本実施形態の再生装置１００および再生装置１００ａによれば、制御部１０３は、移動経路記憶部１０６に記憶された移動経路にユーザが戻ると、所定区間の繰り返し再生を中止し、再生処理を行う。この発明によれば、正規の移動経路にユーザが戻ると、所定区間の繰り返し再生を中止し、再生処理を行うことができる。すなわち、戻ってくると通常の再生処理を行うことができ、ユーザに正しい移動経路に戻ったことを知らせることができる。
【符号の説明】
【００５４】
１００…再生装置、１００ａ…再生装置、１０１…測位部、１０２…判断部、１０３…制御部、１０３ａ…制御部、１０４…再生部、１０５…設定部、１０６…移動経路記憶部、１０７…楽曲データ記憶部、１０８…再生位置記憶部。
【図１】
2011220685.tif 000003
【図２】
2011220685.tif 000004
【図３】
2011220685.tif 000005
【図４】
2011220685.tif 000006
【図５】
2011220685.tif 000007
【図６】
2011220685.tif 000008
【図７】
2011220685.tif 000009
【図８】
2011220685.tif 000010